(57)【特許請求の範囲】
【請求項１】
ベースと、
前記ベース上に回転自在に設けられる光ディスクと、
前記ベースに設けられるボイスコイルモータにより前記光ディスクの半径方向に往復回動されるアクチュエータアームと、一端が前記アクチュエータアームに固定されて弾性変形可能なロードビームと、前記ロードビームの一面に設けられるフレクシャーを含み、前記ベースに前記光ディスクの半径方向に回動自在に設けられ、前記光ディスクの記録面に接触可能にスライダーを支持するアクチュエータ組立体と、
前記アクチュエータ組立体に設けられ光を生成する光源と、前記光源と前記記録面間の光路上に配置されて光の進行経路を変換する光路変換手段と、前記スライダー内に装着されて前記光路変換手段から分岐された光を前記記録面に集束させる対物レンズと、前記記録面から反射されて前記対物レンズ及び光路変換手段を経て入射された光を受光する光検出器と、少なくとも前記光源と前記光路変換手段とを連結して前記光源で生成された光を集束して前記光路変換手段に送る光ファイバとを有し、前記光ディスクの記録面に光スポットを形成させる光ピックアップとを含み、
前記光路変換手段は、前記ロードビームと前記アクチュエータアームとの間に設けられて前記ロードビームとフレクシャーに形成された第１光通過孔を介在して前記対物レンズと対向し、
前記光検出器は、前記アクチュエータアームの一面に設けられて前記第１光通過孔に対応するように前記アクチュエータアームに形成された第２光通過孔内に収容され前記光路変換手段と対向し、
前記対物レンズ、前記光路変換手段及び前記光検出器は相互同一垂直線上で対向しており、
前記光源と前記光路変換手段間の光損失を抑制するようにしたことを特徴とする光記録再生装置。
【請求項２】
前記アクチュエータ組立体は、前記ベースに支持され、前記光源を収容する収容部が形成されたマウンタをさらに備え、
前記アクチュエータ組立体のアクチュエータアームには前記光ファイバを通過させる孔が形成されたことを特徴とする請求項１に記載の光記録再生装置。
【発明の詳細な説明】
【０００１】
【発明の属する技術分野】
本発明は光記録媒体に情報を記録及び/または再生可能にした光記録再生装置に関する。
【０００２】
【従来の技術】
一般に、ニアフィールド（Near Field）光ディスクドライブのような光記録再生装置は光ピックアップを用いて光ディスクのような光記録媒体に情報を記録再生する。このような光記録再生装置はスピンドルモータに支持されて回転する光ディスク上を旋回するアクチュエータを具備する。このようなアクチュエータが備えられた光記録再生装置の一例が図１及び図２に示されている。
【０００３】
図１及び図２を参照するに、アクチュエータ２がアクチュエータアーム４を駆動するようにベース１に回転自在に設けられている。スピンドルモータ６には光ディスク７が回転自在に設けられている。前記光ディスク７に光スポットを用いて情報を記録／再生するための光ピックアップが前記アクチュエータ２に設けられている。即ち、前記光ピックアップはアクチュエータ２のピボット部に該当するマウンタ３に設けられる。このような光ピックアップは光を照射する光源１０と、スライダー９の端部に設けられる対物レンズ１１及びマウンタ３に設けられた光検出器１３などを具備する。また、ロードビーム８が前記アクチュエータアーム４に弾性変形可能に設けられている。そして、前記スライダー９はロードビーム８の自由端に設けられるものであって、光ディスク７の回転時空気動圧により光ディスク７から浮上がることによって、光ディスク７との間にいわゆるニアフィールドを形成する。
【０００４】
情報の記録／再生動作時、アクチュエータアーム４はボイスコイルモータ５の駆動力により光ディスク７の半径方向に往復移動される。この際、光源１０から照射された光Lはアクチュエータアーム４の端部に設けられた反射部材１５から反射される。反射された光は対物レンズ１１に入射される。対物レンズ１１は入射された光を光ディスク７の記録面に光スポットとして集束する。次いで、光ディスク７の記録面から反射された光は対物レンズ１１及び反射部材１５を経由する。そして、光路上に設けられた光路変換部材１７は反射部材１５を経て戻る光を光検出器１３に向かわせて分岐させる。従って、光検出器１３では入射された光を受光して情報を検出することになる。
【０００５】
ところが、前述したような構成において、光源１０から照射された光は光ディスク７の記録面まで経た後、再び該記録面から光検出器１３に戻る経路を経る。この際、光は空気を直接通過するために光路上で一部光が損失される。特に、光ディスク７の記録面と光検出器１３は相互所定距離に離隔されているため、光の損失がさらに大きくなって記録及び再生される情報が信頼できなくなる。
【０００６】
また、最近、光ディスクの記憶容量が増大されることによって光ディスクの記録密度が高まっている。これによって光ディスクの所望の記録面に光スポットが正確に集束されるようにスライダーを精密駆動させる別のメカニズムが要求されている。即ち、前記ボイスコイルモータ５の大きな駆動力により回動されるアクチュエータ２は弾性変形されるロードビーム８に支持されたスライダー９を精度よく制御するには限界がある。
【０００７】
【発明が解決しようとする課題】
本発明の目的は、光損失を最小化させるようにその構造が改善された光記録再生装置を提供することである。
【０００８】
【課題を解決するための手段】
前記目的を達成するための本発明に係る光記録再生装置は、
ベースと、
前記ベース上に回転自在に設けられる光ディスクと、
前記ベースに設けられるボイスコイルモータにより前記光ディスクの半径方向に往復回動されるアクチュエータアームと、一端が前記アクチュエータアームに固定されて弾性変形可能なロードビームと、前記ロードビームの一面に設けられるフレクシャーを含み、前記ベースに前記光ディスクの半径方向に回動自在に設けられ、前記光ディスクの記録面に接触可能にスライダーを支持するアクチュエータ組立体と、
前記アクチュエータ組立体に設けられ光を生成する光源と、前記光源と前記記録面間の光路上に配置されて光の進行経路を変換する光路変換手段と、前記スライダー内に装着されて前記光路変換手段から分岐された光を前記記録面に集束させる対物レンズと、前記記録面から反射されて前記対物レンズ及び光路変換手段を経て入射された光を受光する光検出器と、少なくとも前記光源と前記光路変換手段とを連結して前記光源で生成された光を集束して前記光路変換手段に送る光ファイバとを有し、前記光ディスクの記録面に光スポットを形成させる光ピックアップとを含み、  前記光路変換手段は、前記ロードビームと前記アクチュエータアームとの間に設けられて前記ロードビームとフレクシャーに形成された第１光通過孔を介在して前記対物レンズと対向し、
前記光検出器は、前記アクチュエータアームの一面に設けられて前記第１光通過孔に対応するように前記アクチュエータアームに形成された第２光通過孔内に収容され前記光路変換手段と対向し、
前記対物レンズ、前記光路変換手段及び前記光検出器は相互同一垂直線上で対向しており、
前記光源と前記光路変換手段間の光損失を抑制するようにしたことを特徴とする。
【００１０】
【発明の実施の形態】
以下、添付した図面に基づいて本発明を詳しく説明する。
【００１１】
図３及び図４を参照するに、本発明の望ましい実施例に係る光記録再生装置は光ディスク２３に情報を記録及び/または再生させるためのものである。このような光記録再生装置は、ベース２１と、このベース２１上に回転自在に設けられるアクチュエータ組立体３０と、前記光ディスク２３の記録面２３aに光スポットを形成するための光ピックアップ及び駆動手段を具備する。
【００１２】
前記光ディスク２３はベース２１に設けられたスピンドルモータ２２に回転自在に支持される。このような光ディスク２３は一面または両面の各々に情報を記録しうる。
【００１３】
前記アクチュエータ組立体３０はアクチュエータアーム３３と、ロードビーム４０と、フレクシャー(flexure)５０とを具備する。前記アクチュエータアーム３３はベース２１の軸部２１aに往復回動可能に結合されるマウンタ３１から延びて形成される。前記マウンタ３１には収容部３１aが引込形成される。この収容部３１aは後述する光源６１を収容する。また、アクチュエータアーム３３はベース２１に設けられたボイスコイルモータ２４により半径方向Aに回動される。
【００１４】
前記ロードビーム４０はアクチュエータアーム３３の結合部３３bに設けられる。ここで、前記結合部３３bはアクチュエータアーム３３の前記記録面２３aと対向する一面に段付き形成される。このようなロードビーム４０は固定端４１、自由端４３及びヒンジ部４５に区分される。前記固定端４１は結合部３３bにハンダ付けなどにより固定される。前記自由端４３は固定端４１から延びて形成され、上下及び半径方向Aに弾力的に移動する。ヒンジ部４５は自由端４３と固定端４１との間に備えられる。具体的に、ヒンジ部４５は固定端４１と自由端４３の縁部を連結して一対が所定間隔に備えられる。即ち、ヒンジ部４５は固定端４１と自由端４３との間に形成された孔４０aの縁部に該当される。このようなヒンジ部４５は外力により半径方向Aに弾性変形される。従って、自由端４３が固定端４１に対して半径方向Aに微細回動されうる。ここで、各端部４１、４３及びヒンジ部４５は一体に形成される。
【００１５】
前記フレクシャー５０の一端はロードビーム４０の前記記録面２３aとの対向面に固定される。そして、フレクシャー５０の他端は支持されない自由端である。このフレクシャー５０の自由端は光ディスク２３に接触するスライダー５３を支持する。前記スライダー５３の内部には後述する対物レンズ６５が装着される。
【００１６】
また、対物レンズ６５に対応する第１光通過孔５１、４３aが前記フレクシャー５０とロードビーム４０の自由端４３の各々に形成される。そして、前記第１光通過孔５１、４３aに対応する第２光通過孔３３aがアクチュエータアーム３３に形成される。また、後述する光ファイバ６９の通過する孔３３cがアクチュエータアーム３３の所定の位置に形成される。
【００１７】
前記光ピックアップは光ディスク２３の記録面２３aに光スポットを形成するためのものである。このような光ピックアップは光源６１と、光路変換手段６３と、対物レンズ６５と、光検出器６７及び光ファイバ６９を具備する。
【００１８】
前記光源６１は前記収容部３１aに装着されて光を生成する。
【００１９】
前記光路変換手段６３は光源６１と記録面２３aとの光路上に配置されて光の進行経路を変換する。このような光路変換手段６３は光を選択的に分岐させるビームスプリッタである。具体的に、光路変換手段６３は第１光通過孔４３a、５１を介在して対物レンズ６５と対向するようにロードビーム４０とアクチュエータアーム３３との間に設けられる。また、光路変換手段６３は自由端４３に固定されて前記第２光通過孔３３aに自由に収容される。
【００２０】
前記対物レンズ６５は公知のSIM(Solid Immersion Mirror)レンズであって、光路変換手段６３を経た光を記録面２３aに集束させる。
【００２１】
前記光検出器６７は第２光通過孔３３aを介在して光路変換手段６３と対向してアクチュエータアーム３３の一面に設けられる。このような光検出器６７は記録面２３aから反射された後、第１光通過孔５１、４３aと第２光通過孔３３aを通過して入射した光を受光し、光から情報を検出する。
【００２２】
前述したように、光検出器６７は光路変換手段６３、対物レンズ６５と共に同一垂直線上に設けられる。従って、光検出器６７と記録面２３aとの間の光路が短縮され、空気中からの光損失を最小化しうる。
【００２３】
前記光ファイバ６９の一端は光源６１に連結される。そして、光ファイバ６９の他端はアクチュエータアーム３３に形成された穴３３cを通過して光路変換手段６３に連結される。従って、光源６１から生成された光は従来のように空気中を通過することでなく光ファイバ６９を通じて光路変換手段６３に送られる。従って、光損失を最小化しうる。
【００２４】
前記駆動手段はロードビーム４０の自由端４３に半径方向Aへの駆動力を提供するためのものである。このような駆動手段は、マグネット７１と一対のコイル７３を具備する。前記マグネット７１はアクチュエータアーム３３の自由端３４に設けられる。前記一対のコイル７３はマグネット７１に対面するようにロードビーム４０の自由端４３に設けられる。このようなコイル７３は所定の電源から電流を供給されてマグネット７１との間に電磁気力を発生させる。
【００２５】
前記構成を有する本発明の望ましい実施例に係る光記録再生装置の動作を説明すれば次の通りである。
【００２６】
まず、情報を記録及び/または再生するために光ディスク２３を高速回転させる。そうすると、スライダー５３は記録面２３aとスライダー５３との間の空気圧により記録面２３aから浮上がる。従って、記録面２３aとスライダー５３との間にはニアフィールドが形成される。この状態でボイスコイルモータ２４は駆動されながらアクチュエータアーム３３を半径方向Aに回動させる。そうすると、スライダー５３は光ディスク２３上の所定位置に１次的に移動する。これと同時に、前記コイル７３に所定の大きさ及び所定の方向に電流が選択的に印加される。印加された電流によりマグネット７１とコイル７３との間には電磁気力が発生される。発生された電磁気力によりロードビーム４０のヒンジ部４５が図５に示されたように、半径方向Aに弾性変形される。また、自由端４３はヒンジ部４５を中心に半径方向Aに微細回動される。従って、自由端４３にフレクシャー５０と共に支持されたスライダー５３はアクチュエータアーム３３の回動とは独立して２次的に微細駆動される。このようにスライダー５３が２次的に微細駆動されることによって、光ディスク２３のトラックを精密追跡でき、つまり光ディスク２３の記憶容量を増大させうる。
【００２７】
また、自由端４３に半径方向Aへの回動力を提供するコイル７３とヒンジ部４５の距離が所定の距離だけ離隔されているために小さな駆動力でも自由端４３を微細回動させうる。従って、スライダー５３の微細駆動による消費電力を省け、精密制御ができる。
【００２８】
また、スライダー５３を記録面２３a上で精密駆動させる途中に、光源６１では光を生成する。生成された光は光ファイバ６９を通じて光路変換手段６３に移動する。そして、光路変換手段６３を経た光は対物レンズ６５で集束されて記録面２３aに光スポットを形成する。次いで、記録面２３aから反射された後、対物レンズ６５と光路変換手段６３を経た光は光路変換手段６３の略垂直線上にある光検出器６７に入射される。そして、光検出器６７では入射された光を受光して情報を検出することになる。ところが、前述したような動作において、光源６１と光路変換手段６３との間に光ファイバ６９を設置することによって、従来のように空気中における光損失がほとんど発生しない。また、記録面２３aから光検出器６７までの距離を短縮させることによって光検出器６７に向かう光損失も減らせる。このように、光損失を減らすことによって、記録面２３aに貯蔵される情報または再生される情報の信頼性が高められる。
【００２９】
従って、本発明に係る光記録再生装置によれば、光損失を最小化させうる。
【図面の簡単な説明】
【図１】一般の光記録再生装置の概略的な平面図である。
【図２】図１の部分断面図である。
【図３】本発明の望ましい実施例に係る光記録再生装置の概略的な結合断面図である。
【図４】図３に示された光記録再生装置の部分分離斜視図である。
【図５】図４に示されたロードビームの動作状態を示す概略的な平面図である。
【符号の説明】
２１    ベース
２１ａ  軸部
２３    光ディスク
２３ａ  記録面
２４    ボイスコイルモータ
３０    アクチュエータ組立体
３１    マウンタ
３１ａ  収容部
３３    アクチュエータアーム
４０    ロードビーム
５０    フレクシャー
６１    光源
【図１】
0003778263.tif 000002
【図２】
0003778263.tif 000003
【図３】
0003778263.tif 000004
【図４】
0003778263.tif 000005
【図５】
0003778263.tif 000006